(57)【要約】【課題】  紙接着専用のノズルを設置して接着する方法は、健康面においても問題がある可能性がある。【解決手段】  本件発明は、上記課題に間がみなされたものである。  第一の発明は、持帰フィンガーフード用容器であって、一端から他端にわたって直線状に形成された第一折線に沿って紙を折り重ねることにより形成される容器底部、容器前面部、容器背面部と、前記第一折線に沿って折り重ねられた紙の両側部を前記第一折線を起点として形成される第二折線、第三折線に沿って前記容器前面部に向かって折り重ねることにより形成される容器左側部、容器右側部、容器前折部と、前記容器前折部の容器開口側に生じる端線に沿って、前記容器前折部に重なるように前記容器前面部の一部をなす紙を折り曲げて形成される前折押さえ部と、を有する持帰フィンガーフード用容器に関する。【選択図】  図１
2005212859.tif 000002
【特許請求の範囲】
【請求項１】
持帰フィンガーフード用容器であって、
一端から他端にわたって直線状に形成された第一折線に沿って紙を折り重ねることにより形成される容器底部、容器前面部、容器背面部と、
前記第一折線に沿って折り重ねられた紙の両側部を前記第一折線を起点として形成される第二折線、第三折線に沿って前記容器前面部に向かって折り重ねることにより形成される容器左側部、容器右側部、容器前折部と、
前記容器前折部の容器開口側に生じる端線に沿って、前記容器前折部に重なるように前記容器前面部の一部をなす紙を折り曲げて形成される前折押さえ部と、
を有する持帰フィンガーフード用容器。
【請求項２】
前記第一折線の容器底部を形成する部分に前記第一折線を中心として対向するように底面用折線が形成され、
前記容器底部は、前記底面用折線に沿って紙を折り曲げることにより形成された底面部を有する請求項１に記載の持帰フィンガーフード用容器。
【請求項３】
前記第二折線および前記第三折線に沿った紙の部分には、それぞれ前記第二折線及び前記第三折線を中心として対向するように側面用第二折線及び側面用第三折線が形成され、
前記容器左側部及び前記容器右側部は、前記側面用第二折線及び、側面用第三折線に沿って紙を折り曲げることにより形成された左側面部及び右側面部を有する請求項１又は２に記載の持帰フィンガーフード用容器。
【請求項４】
前記容器背面部は、容器開口よりも外側に位置する容器背面蓋部を有し、
前記容器背面蓋部は、自身にフィンガーフードを入れた状態で前記容器前折部に達する高さを有する請求項１から３のいずれか一に記載の持帰フィンガーフード用容器。
【請求項５】
前記容器背面部は、容器開口よりも外側に位置する容器スタンド部を有し、
前記容器スタンド部は、自身にフィンガーフードを入れた状態で前記容器底部とともに容器を支え、自身を平面上に載置して自立させることが可能である請求項１から４のいずれか一に記載の持帰フィンガーフード用容器。
【請求項６】
第一折線に沿って紙を折り重ねること、前記第一折線を起点として形成される第二折線、第三折線に沿って前記容器前面部に向かって折り重ねること、前記容器前折部の容器開口側に生じる端線に沿って、前記前折部に重なるように前記容器前面部の一部をなす紙を折り曲げることのみにより自身を形作り、自身の形を保持するために接着剤を利用しない請求項１から５のいずれか一に記載の持帰フィンガーフード用容器。
【請求項７】
請求項１から６の持帰フィンガーフード用容器を形成するために利用される紙であって、
前記第一折線が形成される前記一端側の形状と、前記他端側の形状とは、異なる形状である紙。
【請求項８】
請求項１から６の持帰フィンガーフード用容器を形成するために利用される紙であって、
前記第一折線を中心として前記容器背面部を形成する部分の形状と、前記容器前面部を形成する部分の形状とは異なる形状である紙。
【請求項９】
請求項１から６の持帰フィンガーフード用容器を形成するために利用される紙であって、
前記容器背面部を形成する部分及び、前記容器前面部を形成する部分の容器内面側は、印刷が施されていない紙。
【請求項１０】
請求項１から６の持帰フィンガーフード用容器を形成するために利用される紙であって、
前記容器背面部を形成する部分及び、前記容器前面部を形成する部分の容器内面側は、印刷が施されている紙。
【請求項１１】
持帰フィンガーフード用容器の組立方法であって、
一端から他端にわたって直線状に形成された第一折線に沿って紙を折り重ねることにより容器底部、容器前面部、容器背面部と、を形成する容器底部、容器前面部、容器背面部形成ステップと、
前記第一折線に沿って折り重ねられた紙の両側部を前記第一折線を起点として形成される第二折線、第三折線に沿って前記容器前面部に向かって折り重ねることにより容器左側部、容器右側部、容器前折部と、を形成する容器左側部、容器右側部、容器前折部形成ステップと、
前記容器前折部の容器開口側に生じる端線に沿って、前記容器前折部に重なるように前記容器前面部の一部をなす紙を折り曲げて前折押さえ部を形成する前折押さえ部形成ステップと、
からなる工程を有する持帰フィンガーフード用容器組立方法。
【請求項１２】
前記第一折線の容器底部を形成する部分に前記第一折線を中心として対向するように底面用折線が形成され、
前記容器底部は、前記底面用折線に沿って紙を折り曲げることにより底面部を形成する底面部形成ステップを有する請求項１１に記載の持帰フィンガーフード用容器組立方法。
【請求項１３】
前記第二折線および前記第三折線に沿った紙の部分には、それぞれ前記第二折線及び前記第三折線を中心として対向するように側面用第二折線及び側面用第三折線が形成され、
前記容器左側部及び前記容器右側部は、前記側面用第二折線及び、側面用第三折線に沿って紙を折り曲げることにより左側面部及び右側面部を形成する左側面部及び右側面部形成ステップを有する請求項１１又は１２に記載の持帰フィンガーフード用容器組立方法。
【請求項１４】
前記容器背面部は、容器開口よりも外側に位置する容器背面蓋部を有し、
前記容器背面蓋部は、自身にフィンガーフードを入れた状態で前記容器前折部に達する高さを有する容器背面蓋部を形成する容器背面蓋部形成ステップを有する請求項１１から１３のいずれか一に記載の持帰フィンガーフード用容器組立方法。
【請求項１５】
前記容器背面部は、容器開口よりも外側に位置する容器スタンド部を有し、
前記容器スタンド部は、自身にフィンガーフードを入れた状態で前記容器底部とともに容器を支え、自身を平面上に載置して自立させることが可能である容器スタンド部を形成する容器スタンド部形成ステップを有する請求項１１から１４のいずれか一に記載の持帰フィンガーフード用容器組立方法。
【発明の詳細な説明】
【技術分野】
【０００１】
本件発明は、一枚の紙を折り重ねることによって形成される持帰フィンガーフード用容器に関する。
【背景技術】
【０００２】
従来、フライドポテト、からあげ、コロッケ等の食料品を収納する包装用容器は多種類のものが知られている。しかし現在、環境問題に対応する必要にせまられ、地球に優しい材質の容器が求められている。
【特許文献１】特開２０００−１６８７６１
【発明の開示】
【発明が解決しようとする課題】
【０００３】
しかしながら、地球に優しい材料のみで立体的な形状の容器を作ることは困難である。パルプを使用してコップを形成するためには、紙のみでなく各種の溶剤を使用することが必須となっている。
【課題を解決するための手段】
【０００４】
本件発明は、上記課題に鑑み、なされたものである。溶剤などを使用することなく、一枚の紙のみを使用して立体的な容器を提供する技術に関する。
【０００５】
第一の発明は、持帰フィンガーフード用容器であって、一端から他端にわたって直線状に形成された第一折線に沿って紙を折り重ねることにより形成される容器底部、容器前面部、容器背面部と、前記第一折線に沿って折り重ねられた紙の両側部を前記第一折線を起点として形成される第二折線、第三折線に沿って前記容器前面部に向かって折り重ねることにより形成される容器左側部、容器右側部、容器前折部と、前記容器前折部の容器開口側に生じる端線に沿って、前記容器前折部に重なるように前記容器前面部の一部をなす紙を折り曲げて形成される前折押さえ部と、を有する持帰フィンガーフード用容器に関する。
【０００６】
第二の発明は、前記第一折線の容器底部を形成する部分に前記第一折線を中心として対向するように底面用折線が形成され、前記容器底部は、前記底面用折線に沿って紙を折り曲げることにより形成された底面部を有する第一の発明に記載の持帰フィンガーフード用容器に関する。
【０００７】
第三の発明は、前記第二折線および前記第三折線に沿った紙の部分には、それぞれ前記第二折線及び前記第三折線を中心として対向するように側面用第二折線及び側面用第三折線が形成され、前記容器左側部及び前記容器右側部は、前記側面用第二折線及び、側面用第三折線に沿って紙を折り曲げることにより形成された左側面部及び右側面部を有する第一の発明又は第二の発明に記載の持帰フィンガーフード用容器に関する。
【０００８】
第四の発明は、前記容器背面部は、容器開口よりも外側に位置する容器背面蓋部を有し、
【０００９】
前記容器背面蓋部は、自身にフィンガーフードを入れた状態で前記容器前折部に達する高さを有する第一の発明から第三の発明のいずれか一に記載の持帰フィンガーフード用容器に関する。
【００１０】
第五の発明は、前記容器背面部は、容器開口よりも外側に位置する容器スタンド部を有し、前記容器スタンド部は、自身にフィンガーフードを入れた状態で前記容器底部とともに容器を支え、自身を平面上に載置して自立させることが可能である第一の発明から第四の発明のいずれか一に記載の持帰フィンガーフード用容器に関する。
【００１１】
第六の発明は、第一折線に沿って紙を折り重ねること、前記第一折線を起点として形成される第二折線、第三折線に沿って前記容器前面部に向かって折り重ねること、前記容器前折部の容器開口側に生じる端線に沿って、前記前折部に重なるように前記容器前面部の一部をなす紙を折り曲げることのみにより自身を形作り、自身の形を保持するために接着剤を利用しない第一の発明から第五の発明のいずれか一に記載の持帰フィンガーフード用容器に関する。
【００１２】
第七の発明は、第一の発明から第六の発明の持帰フィンガーフード用容器を形成するために利用される紙であって、前記第一折線が形成される前記一端側の形状と、前記他端側の形状とは、異なる形状である紙に関する。
【００１３】
第八の発明は、第一の発明から第六の発明の持帰フィンガーフード用容器を形成するために利用される紙であって、前記第一折線を中心として前記容器背面部を形成する部分の形状と、前記容器前面部を形成する部分の形状とは異なる形状である紙に関する。
【００１４】
第九の発明は、第一の発明から第六の発明の持帰フィンガーフード用容器を形成するために利用される紙であって、前記容器背面部を形成する部分及び、前記容器前面部を形成する部分の容器内面側は、印刷が施されていない紙に関する。
【００１５】
第十の発明は、第一の発明から第六の発明の持帰フィンガーフード用容器を形成するために利用される紙であって、前記容器背面部を形成する部分及び、前記容器前面部を形成する部分の容器内面側は、印刷が施されている紙に関する。
【発明の効果】
【００１６】
本件発明によれば、溶剤などを使用することなく、一枚の紙のみを使用して立体的な持帰フィンガーフード用容器を提供することができる。また、シンプルな構造であるため、簡易な組み立てによって持帰フィンガーフード用容器を形成することが可能となる。
【発明を実施するための最良の形態】
【００１７】
以下に本件発明の実施形態を説明する。実施形態と、請求項との関係はおおむね次のようなものである。
実施形態１は、主に、請求項１、請求項１１などについて説明している。
実施形態２は、主に、請求項２、請求項１２などについて説明している。
実施形態３は、主に、請求項３、請求項１３などについて説明している。
実施形態４は、主に、請求項４、請求項１４などについて説明している。
実施形態５は、主に、請求項５、請求項１５などについて説明している。
実施形態６は、主に、請求項６について説明している。
実施形態７は、主に、請求項７について説明している。
実施形態８は、主に、請求項８について説明している。
実施形態９は、主に、請求項９について説明している。
実施形態１０は、主に、請求項１０について説明している。
【００１８】
<<実施形態１>>
以下に、実施形態１について説明する。
【００１９】
<実施形態１の概念>
以下に、本実施形態の持帰フィンガーフード用容器の概念を説明する。
本実施形態の持帰フィンガーフード用容器は、一枚の紙を折り重ねることのみで、所定の構造強度を有する容器を形成することができる。
【００２０】
図１は、本実施形態の持帰フィンガーフード用容器０１００の概念を説明するための図である。持帰フィンガーフード用容器は、シンプルな構造を有しており、組み立ても容易で、フィンガーフード０１０１を保持し、持ち帰ることができる。
【００２１】
<構成要件の明示>
以下に、本実施形態の構成を明示する。
なお、以下の説明においては、特に断らない限り、「容器」という表現を、本件発明の「持帰フィンガーフード用容器」の意味で使用することとする。
図２に、本実施形態の持帰フィンガーフード用容器０２００の構成を明示する。持帰フィンガーフード用容器は、容器底部０２０１と、容器前面部０２０２と、容器背面部０２０３と、容器左側部０２０４と、容器右側部０２０５と、容器前折部０２０６、０２０７と、前押さえ部０２０８と、を有する。
【００２２】
<構成の説明>
以下に、本実施形態の構成を説明する。
【００２３】
（容器底部、容器前面部、容器背面部）
容器底部、容器前面部、容器背面部は、一端から他端にわたって直線状に形成された第一折線に沿って紙を折り重ねることにより形成される。ここで「容器底部」とは、第一折線に沿って紙を折り重ねることにより形成される第一折線にそった部分のことをいう。「容器前面部」とは、第一折線に沿って紙を折り重ねることにより紙が二つの領域に分けられる一方の領域であり、持帰フィンガーフード用容器の容器前面を形成する側の領域のことをいう。「容器背面部」とは、第一折線に沿って紙を折り重ねることにより紙が二つの領域に分けられる他方の領域であり、持帰フィンガーフード用容器の容器背面を形成する側の領域のことをいう。また「紙」とは、フィンガーフードを保持できるだけの強度を有し、フィンガーフードと接触してもフィンガーフードを安全に食べられるような紙のことをいう。フィンガーフード用の紙には、フィンガーフードの有する油分や水分で変質したり、溶けたり、化学反応をおこして有害になったりしないような紙などが該当する。また、紙は、紙の表面にフィンガーフードの有する油分や水分で変質したり、溶けたり、化学反応をおこして有害になったりしないようなビニール等をコーティングしたものであっても良い。なお、コーティングは紙の両面であってもよいし、片面だけであってもよい。紙のサイズ、形状は、フィンガーフードに応じて自由に設計することができる。また「フィンガーフード」とは、指で掴んで食べられる程度の大きさを有する食べ物のことをいう。フィンガーフードには、からあげ、えびあげ、フライドポテト、コロッケ、ハンバーガー、チョコレート、プチパン、ドーナツ類、菓子類などが該当する。なお、本件発明においては、第一折線は、想像上の線であってもよいし、貫通穴やエンボスを用いたミシン目などであってもよい。
【００２４】
図３は、持帰フィンガーフード用容器を平面上に展開したときに容器内面側から見た展開図の一例を示す図である。図３において、０３０１は第一折線を、０３０２は第二折線を、０３０３は第三折線を示している。なお、図３から図９までは、点線で示された部分は紙を折り曲げたときに折線の谷側になる部分を、一点鎖線で示された部分は山側になる部分を示す。なお、紙の折線で分割される領域のデザインを工夫することによって、折線にしたがって折り重ねることにより、完成した又は完成途上の容器のデザインを形成することができる。一例として、図３において、紙の折線で分割される領域のデザインは、折線にしたがって折り重ねることにより、容器の模様が仕上がるようにデザインされている。
【００２５】
図４は、持帰フィンガーフード用容器を平面上に展開したときに容器外面側から見た展開図の一例である。図４において、０４０１は第一折線を、０４０２は第二折線を、０４０３は第三折線を示している。なお、紙の折線で分割される領域のデザインを工夫することによって、折線にしたがって折り重ねることにより、完成した又は完成途上の容器のデザインを形成することができる。一例として、図４において、紙の折線で分割される領域のデザインは、折線にしたがって折り重ねることにより、容器の模様が仕上がるようにデザインされている。
【００２６】
図５は、図３の状態の紙を、第一折線に沿って折り重ねたときの状態を容器前面部側から見た図の一例である。図５において、０５０１は容器底部を、０５０２は容器前面部を、０５０３は第二折線を、０５０４は第三折線を示している。
【００２７】
図６は、図３の状態の紙を、第一折線に沿って折り重ねたときの状態を容器背面部側から見た図の一例である。図６において、０６０１は容器底部を、０６０２は容器背面部を、０６０３は第二折線を、０６０４は第三折線を示している。
【００２８】
（容器左側部、容器右側部、容器前折部）
容器左側部、容器右側部、容器前折部は、第一折線に沿って折り重ねられた紙の両側部を第一折線を起点として形成される第二折線、第三折線に沿って容器前面部に向かって折り重ねることにより形成される。ここで「容器左側部」とは、第一折線に沿って折り重ねられた紙の両側部を第一折線を起点として形成される第二折線に沿って容器前面部に向かって折り重ねることにより形成される容器左側の第二折線にそった部分のことをいう。「容器右側部」とは、第一折線に沿って折り重ねられた紙の両側部を第一折線を起点として形成される第三折線に沿って容器前面部に向かって折り重ねることにより形成される容器右側の第三折線にそった部分のことをいう。「容器前折部」とは、第一折線に沿って折り重ねられた紙の両側部を第一折線を起点として形成される第二折線、第三折線に沿って容器前面部に向かって折り重ねることにより形成される部分のことをいう。容器前折部は、第二折線に沿って容器前面部に向かって折り重ねることにより形成される容器前折部と、第三折線に沿って容器前面部に向かって折り重ねることにより形成される容器前折部と、を有する。なお、本件発明においては、第ニ折線、第三折線は、想像上の線であってもよいし、貫通穴やエンボスを用いたミシン目などであってもよい。
【００２９】
図７は、図５の状態の紙を、第二折線に沿って容器前面部に向かって折り重ねたときの状態を容器前面部側から見た図の一例である。図７において、０７０１は容器底部を、０７０２は容器前面部を、０７０３は第三折線を、０７０４は容器左側部を、０７０５は容器前折部を示している。
【００３０】
図８は、図７の状態の紙を、第三折線に沿って容器前面部に向かって折り重ねたときの状態を容器前面部側から見た図の一例である。図８において、０８０１は容器底部を、０８０２は容器前面部を、０８０３は容器左側部を、０８０４は容器右側部を、０８０５と０８０６は容器前折部を示している。なお、紙の折線で分割される領域のデザインを工夫することによって、折線にしたがって折り重ねることにより、完成途上の容器のデザインを形成することができる。一例として、図８は、図３、図４に示す紙のデザインを、折線にしたがって折り重ねることにより、完成途上の容器の模様が仕上がっている。
【００３１】
（前折押さえ部）
前折押さえ部は、容器前折部の容器開口側に生じる端線に沿って、容器前折部に重なるように容器前面部の一部をなす紙を折り曲げて形成される。ここで「前折押さえ部」とは、容器前折部が開いて、持帰フィンガーフード用容器の形状が崩れないようにするために容器前折部を押さえる部分のことをいう。なお、前折押さえ部は、容器開口側の容器前折部の全長に亙って押さえ込みが効くようにするのが一番よい。容器を膨らませたときに、容器開口部に生じる折り曲げ線が曲線形状となるので、前折押さえ部が元に戻ることが困難となる。したがって、容器前折部がバラけるのを防止できる。また、一枚の紙によって容器の強度を保つことができる。
【００３２】
図９は、図８の状態の紙を、容器前折部の容器開口側に生じる端線に沿って、容器前折部に重なるように容器前面部の一部をなす紙を折り曲げたときの状態を容器前面部側から見た図の一例である。図９において、０９０１は容器底部を、０９０２は容器前面部を、０９０３は容器左側部を、０９０４は容器右側部を、０９０５と０９０６は容器前折部を、０９０７は前折押さえ部を示している。なお、紙の折線で分割される領域のデザインを工夫することによって、折線にしたがって折り重ねることにより、完成した容器のデザインを形成することができる。一例として、図９は、図３、図４に示す紙のデザインを、折線にしたがって折り重ねることにより、完成した容器の模様が仕上がっている。
【００３３】
（持帰フィンガーフード用容器）
持帰フィンガーフード用容器は、上記図３から図９に示したように紙を折り曲げることにより、容易に形成される。図９の状態において、フィンガーフードの入る部分を膨らませることにより、図２に示したような状態にすることができる。なお、上記説明では、容器左側部を先に形成し、その後に容器右側部を形成するようにしたが、本実施形態はそれに限定されるものではなく、容器右側部を先に形成し、その後に容器左側部を形成するようにすることもできる。また、上記説明では、持帰フィンガーフード用容器の形状を保持するために糊等の接着剤を使用しないで形成したが、本実施形態は、もちろん糊等の接着剤を使用しても良い。この場合に使用する接着剤は、人体に無害で環境負荷を低減できる材質の接着剤を使用すれば良い。また、持帰フィンガーフード用容器の形状を保持する手段としては、糊等の接着剤だけでなく、例えばシール、針なしホッチキス（登録商標）などのペーパーファスナーなどによって固定する手段であっても良い。また、持帰フィンガーフード用容器を店舗などに保管する場合には、図９の平面状の状態ですれば省スペース化できる。また、嵩張らないので配送コストも削減できる。なお、持帰フィンガーフード用容器は、フィンガーフード用に限定されず、パッケージ用紙コップやマチなしパッケージに代わるもの、企画セット商品などとして使用することもできる。
【００３４】
図１０は、持帰フィンガーフード用容器を容器前面部側から見た一例を示す略正面図である。なお、図１０において、点線は、容器背面部の容器開口部が形成される曲線を示している。
図１１は、持帰フィンガーフード用容器を容器背面部側から見た一例を示す略背面図である。なお、図１１において、点線は、容器の容器開口部が形成される曲線を示している。
図１２は、持帰フィンガーフード用容器を容器左側部側から見た一例を示す左側面図である。
図１３は、持帰フィンガーフード用容器を容器右側部側から見た一例を示す右側面図である。
図１４は、持帰フィンガーフード用容器を容器上部側から見た一例を示す平面図である。
図１５は、持帰フィンガーフード用容器を容器底部側から見た一例を示す底面図である。
【００３５】
<処理の流れ>
以下に、本実施形態の処理の流れを説明する。
【００３６】
図１６は、処理の流れを説明するための図である。
まず、一端から他端にわたって直線状に形成された第一折線に沿って紙を折り重ねることにより容器底部、容器前面部、容器背面部と、を形成する（ステップＳ１６０１）。次に、第一折線に沿って折り重ねられた紙の両側部を第一折線を起点として形成される第二折線、第三折線に沿って容器前面部に向かって折り重ねることにより、容器左側部、容器右側部、容器前折部と、を形成する（ステップＳ１６０２）。次に、容器前折部の容器開口側に生じる端線に沿って、容器前折部に重なるように容器前面部の一部をなす紙を折り曲げることにより、前折押さえ部を形成する（ステップＳ１６０３）。
【００３７】
<実施形態１の効果の簡単な説明>
本実施形態の持帰フィンガーフード用容器によれば、一枚の紙を折り重ねることのみで、所定の構造強度を有する容器を形成することができる。また、シンプルな構造であるため、簡易な組み立てによって持帰フィンガーフード用容器を形成することが可能となる。また、紙のサイズ・形状を自由に設計することができ、紙の材質もフィンガーフードに適したものを選択することにより、健康面、環境負荷を低減することができる。また、保管する場合には、持帰フィンガーフード用容器を平面状にすることにより省スペース化を図ることができる。さらに、一枚の紙によって持帰フィンガーフード用容器を形成することができるので、大量生産ならびに大量生産によるコスト削減をすることが可能である。
【００３８】
<<実施形態２>>
以下に、実施形態２について説明する。
【００３９】
<実施形態２の概念>
以下に、本実施形態の持帰フィンガーフード用容器の概念を説明する。
本実施形態は、第一折線の容器底部を形成する部分に第一折線を中心として対向するように底面用折線が形成され、容器底部は、底面用折線に沿って紙を折り曲げることにより形成された底面部を有する実施形態１に記載の持帰フィンガーフード用容器に関する。
【００４０】
図１７は、本実施形態の持帰フィンガーフード用容器１７００の概念を説明するための図である。持帰フィンガーフード用容器は、底面部１７０１を有する。
【００４１】
<構成要件の明示>
以下に、本実施形態の構成を明示する。
本実施形態の持帰フィンガーフード用容器の構成を明示する。持帰フィンガーフード用容器は、容器底部と、容器前面部と、容器背面部と、容器左側部と、容器右側部と、容器前折部、と、前押さえ部と、底面部と、を有する。
【００４２】
<構成の説明>
以下に、本実施形態の構成を説明する。
【００４３】
（容器底部、容器前面部、容器背面部）
容器底部、容器前面部、容器背面部は、実施形態１と同様であるので説明を省略する。
【００４４】
（容器左側部、容器右側部、容器前折部）
容器左側部、容器右側部、容器前折部は、実施形態１と同様であるので説明を省略する。
【００４５】
（前折押さえ部）
前折押さえ部は、実施形態１と同様であるので説明を省略する。
【００４６】
（底面部）
底面部は、第一折線の容器底部を形成する部分に第一折線を中心として対向するように底面用折線が形成され、容器底部は、底面用折線に沿って紙を折り曲げることにより形成される持帰フィンガーフード用容器の容器底部の面状の部分のことをいう。なお、本実施形態においては、底面用折線は、想像上の線であってもよいし、貫通穴やエンボスを用いたミシン目であってもよい。ただし、底面用折線は、ミシン目であることが好ましい。貫通穴によるミシン目か、エンボスによるミシン目かは、内容物に応じて選択すればよい。固体の内容物に対しては貫通穴によるミシン目を、液体の内容物に対してはエンボスによるミシン目を選択すればよい。また、貫通穴は、フィンガーフードの表面の調味料の粉の粉形よりも小さいことが好ましい。貫通穴の径は、一例として、０．０５ｍｍから２ｍｍの各種の径が該当する。
【００４７】
図１８は、持帰フィンガーフード用容器を平面上に展開したときに容器内面側から見た展開図の一例を示す図である。図１８において、１８０１は第一折線を、１８０２は第二折線を、１８０３は第三折線を、１８０４は底面用折線を示している。なお、図１８から図２５までは、点線で示された部分は紙を折り曲げたときに折線の谷側になる部分を、一点鎖線で示された部分は山側になる部分を示す。
【００４８】
図１９は、持帰フィンガーフード用容器を平面上に展開したときに容器外面側から見た展開図の一例である。図１９において、１９０１は第一折線を、１９０２は第二折線を、１９０３は第三折線を、１９０４は底面用折線を示している。
【００４９】
図２０は、図１８の状態の紙を、第一折線に沿って折り重ねたときの状態を容器前面部側から見た図の一例である。図２０において、２００１は容器底部を、２００２は容器前面部を、２００３は第二折線を、２００４は第三折線を、２００５は底面用折線を示している。
【００５０】
図２１は、図１８の状態の紙を、第一折線に沿って折り重ねたときの状態を容器背面部側から見た図の一例である。図２１において、２１０１は容器底部を、２２０２は容器背面部を、２２０３は第二折線を、２２０４は第三折線を示している。
【００５１】
図２２は、図２０の状態の紙を、第二折線に沿って容器前面部に向かって折り重ねたときの状態を容器前面部側から見た図の一例である。図２２において、２２０１は容器底部を、２２０２は容器前面部を、２２０３は第三折線を、２２０４は容器左側部を、２２０５は容器前折部を、２２０６は底面用折線を示している。
【００５２】
図２３は、図２２の状態の紙を、第三折線に沿って容器前面部に向かって折り重ねたときの状態を容器前面部側から見た図の一例である。図２３において、２３０１は容器底部を、２３０２は容器前面部を、２３０３は容器左側部を、２３０４は容器右側部を、２３０５と２３０６は容器前折部を、２３０７は底面用折線を示している。
【００５３】
図２４は、図２３の状態の紙を、容器前折部の容器開口側に生じる端線に沿って、容器前折部に重なるように容器前面部の一部をなす紙を折り曲げたときの状態を容器前面部側から見た図の一例である。図２４において、２４０１は容器底部を、２４０２は容器前面部を、２４０３は容器左側部を、２４０４は容器右側部を、２４０５と２４０６は容器前折部を、２４０７は前折押さえ部を、２４０８は底面用折線を示している。
【００５４】
図２５は、図２３の状態の紙を、容器底部について、底面用折線に沿って紙を折り曲げることにより底面部が形成されたときの状態を容器前面部側から見た図の一例である。図２５において、２５０１は底面部を示している。
【００５５】
（持帰フィンガーフード用容器）
持帰フィンガーフード用容器は、上記図１８から図２５に示したように紙を折り曲げることにより、容易に形成される。図２５の状態において、フィンガーフードの入る部分を膨らませることにより、図１７に示したような状態にすることができる。なお、上記説明では、容器左側部を先に形成し、その後に容器右側部を形成するようにしたが、本実施形態はそれに限定されるものではなく、容器右側部を先に形成し、その後に容器左側部を形成するようにすることもできる。また、上記説明では、持帰フィンガーフード用容器の形状を保持するために糊等の接着剤を使用しないで形成したが、本実施形態は、もちろん糊等の接着剤を使用しても良い。この場合に使用する接着剤は、人体に無害で環境負荷を低減できる材質の接着剤を使用すれば良い。また、持帰フィンガーフード用容器の形状を保持する手段としては、糊等の接着剤だけでなく、例えばシール、針なしホッチキス（登録商標）などのペーパーファスナーなどによって固定する手段であっても良い。なお、持帰フィンガーフード用容器を店舗などに保管する場合には、図２４の平面状の状態ですれば省スペース化できる。また、嵩張らないので配送コストも削減できる。さらに、持帰フィンガーフード用容器は、フィンガーフード用に限定されず、パッケージ用紙コップやマチなしパッケージに代わるもの、企画セット商品などとして使用することもできる。
【００５６】
図２６は、持帰フィンガーフード用容器を容器前面部側から見た一例を示す略正面図である。図２６において、２６０１は底面部を示している。なお、図２６において、点線は、容器背面部の容器開口部が形成される曲線を示している。
図２７は、持帰フィンガーフード用容器を容器背面部側から見た一例を示す略背面図である。図２７において、２７０１は底面部を示している。なお、図２７において、点線は、容器開口部が形成される曲線を示している。
図２８は、持帰フィンガーフード用容器を容器左側部側から見た一例を示す左側面図である。図２８において、２８０１は底面部を示している。
図２９は、持帰フィンガーフード用容器を容器右側部側から見た一例を示す右側面図である。図２９において、２９０１は底面部を示している。
図３０は、持帰フィンガーフード用容器を容器上部側から見た一例を示す平面図である。図３０において、３００１は底面部を示している。
図３１は、持帰フィンガーフード用容器を容器底部側から見た一例を示す底面図である。図３１において、３１０１は底面部を示している。
【００５７】
<処理の流れ>
以下に、本実施形態の処理の流れを説明する。
【００５８】
図３２は、処理の流れを説明するための図である。
まず、一端から他端にわたって直線状に形成された第一折線に沿って紙を折り重ねることにより容器底部、容器前面部、容器背面部と、を形成する（ステップＳ３２０１）。次に、第一折線に沿って折り重ねられた紙の両側部を第一折線を起点として形成される第二折線、第三折線に沿って容器前面部に向かって折り重ねることにより、容器左側部、容器右側部、容器前折部と、を形成する（ステップＳ３２０２）。次に、容器前折部の容器開口側に生じる端線に沿って、容器前折部に重なるように容器前面部の一部をなす紙を折り曲げることにより、前折押さえ部を形成する（ステップＳ３２０３）。次に、第一折線の容器底部を形成する部分に第一折線を中心として対向するように底面用折線を形成し、容器底部は、底面用折線に沿って紙を折り曲げることにより、底面部を形成する（ステップＳ３２０４）。
【００５９】
<実施形態２の効果の簡単な説明>
本実施形態の持帰フィンガーフード用容器によれば、底面部を有するので容器底部が広がることにより、フィンガーフードを保持する容量が増える。また、容器底部が面状になることにより、スティック上のフライドポテトなどを容器底部から取り出しやすくなる。さらに、容器底部が面状になることにより、多少置き易くなったり、手で持ちやすくなったりする。
【００６０】
<<実施形態３>>
以下に、実施形態３について説明する。
【００６１】
<実施形態３の概念>
以下に、本実施形態の持帰フィンガーフード用容器の概念を説明する。
本実施形態は、第二折線および前記第三折線に沿った紙の部分には、それぞれ第二折線及び第三折線を中心として対向するように側面用第二折線及び側面用第三折線が形成され、
【００６２】
容器左側部及び容器右側部は、側面用第二折線及び、側面用第三折線に沿って紙を折り曲げることにより形成された左側面部及び右側面部を有する実施形態１又は２に記載の持帰フィンガーフード用容器に関する。
【００６３】
図３３は、本実施形態の持帰フィンガーフード用容器３３００の概念を説明するための図である。持帰フィンガーフード用容器は、左側面部３３０１と、右側面部３３０２と、を有する。
【００６４】
<構成要件の明示>
以下に、本実施形態の構成を明示する。
本実施形態の持帰フィンガーフード用容器の構成を明示する。持帰フィンガーフード用容器は、容器底部と、容器前面部と、容器背面部と、容器左側部と、容器右側部と、容器前折部、と、前押さえ部と、左側面部と、右側面部と、を有する。また、底面部を有する構成とすることもできる。この場合の底面部の形成方法については、実施形態２と同様に考えることができるので、以下の説明においては、簡単のため、底面部のない構成で説明をする。
【００６５】
<構成の説明>
以下に、本実施形態の構成を説明する。
【００６６】
（容器底部、容器前面部、容器背面部）
容器底部、容器前面部、容器背面部は、実施形態１と同様であるので説明を省略する。
【００６７】
（容器左側部、容器右側部、容器前折部）
容器左側部、容器右側部、容器前折部は、実施形態１と同様であるので説明を省略する。
【００６８】
（前折押さえ部）
前折押さえ部は、実施形態１と同様であるので説明を省略する。
【００６９】
（左側面部及び右側面部）
「左側面部」とは、第二折線に沿った紙の部分には、第二折線を中心として対向するように側面用第二折線が形成され、容器左側部は、側面用第二折線に沿って紙を折り曲げることにより形成された側面部分のことをいう。なお、側面用第二折線は一対であってもよいし複数であってもよい。また、第二折線と側面用第二折線の間隔を広くすることにより、容器内部を広くすることができる。
【００７０】
「右側面部」とは、第三折線に沿った紙の部分には、第三折線を中心として対向するように側面用第三折線が形成され、容器右側部は、側面用第三折線に沿って紙を折り曲げることにより形成された側面部分のことをいう。なお、側面用第三折線は一対であってもよいし複数であってもよい。また、第三折線と側面用第三折線の間隔を広くすることにより、容器内部を広くすることができる。
【００７１】
図３４は、持帰フィンガーフード用容器を平面上に展開したときに容器内面側から見た展開図の一例を示す図である。図３４において、３４０１は第一折線を、３４０２は第二折線を、３４０３は第三折線を、３４０４は側面用第二折線を、３４０５は側面用第三折線を、示している。なお、図３４から図４１までは、点線で示された部分は紙を折り曲げたときに折線の谷側になる部分を、一点鎖線で示された部分は山側になる部分を示す。
【００７２】
図３５は、持帰フィンガーフード用容器を平面上に展開したときに容器外面側から見た展開図の一例である。図３５において、３５０１は第一折線を、３５０２は第二折線を、３５０３は第三折線を、３５０４は側面用第二折線を、３５０５は側面用第三折線を示している。
【００７３】
図３６は、図３４の状態の紙を、第一折線に沿って折り重ねたときの状態を容器前面部側から見た図の一例である。図３６において、３６０１は容器底部を、３６０２は容器前面部を、３６０３は第二折線を、３６０４は側面用第二折線を、３６０５は側面用第三折線を示している。
【００７４】
図３７は、図３４の状態の紙を、第一折線に沿って折り重ねたときの状態を容器背面部側から見た図の一例である。図３７において、３７０１は容器底部を、３７０２は容器背面部を、３７０３は第二折線を、３７０４は第三折線を、３７０５は側面用第二折線を、３７０６は側面用第三折線を示している。
【００７５】
図３８は、図３７の状態の紙を、第二折線に沿って容器前面部に向かって折り重ねたときの状態を容器前面部側から見た図の一例である。図３８において、３８０１は容器底部を、３８０２は容器前面部を、３８０３は第三折線を、３８０４は容器左側部を、３８０５は容器前折部を、３８０６は側面用第二折線を、３８０７は側面用第三折線を示している。
【００７６】
図３９は、図３８の状態の紙を、第三折線に沿って容器前面部に向かって折り重ねたときの状態を容器前面部側から見た図の一例である。図３９において、３９０１は容器底部を、３９０２は容器前面部を、３９０３は容器左側部を、３９０４は容器右側部を、３９０５と３９０６は容器前折部を、３９０７は側面用第二折線を、３９０８は側面用第三折線を示している。
【００７７】
図４０は、図３９の状態の紙を、容器前折部の容器開口側に生じる端線に沿って、容器前折部に重なるように容器前面部の一部をなす紙を折り曲げたときの状態を容器前面部側から見た図の一例である。図４０において、４００１は容器底部を、４００２は容器前面部を、４００３は容器左側部を、４００４は容器右側部を、４００５と４００６は容器前折部を、４００７は前折押さえ部を、４００８は側面用第二折線を、４００９は側面用第三折線を示している。
【００７８】
図４１は、図４０の状態の紙を、容器左側部及び容器右側部について、側面用第二折線及び、側面用第三折線に沿って紙を折り曲げることにより左側面部及び右側面部を形成しときの状態を容器前面部側から見た図の一例である。図４１において、４１０１は左側面部を、４１０２は右側面部を示している。
【００７９】
（持帰フィンガーフード用容器）
持帰フィンガーフード用容器は、上記図３４から図４１に示したように紙を折り曲げることにより、容易に形成される。図４１の状態において、フィンガーフードの入る部分を膨らませることにより、図３３に示したような状態にすることができる。なお、上記説明では、容器左側部を先に形成し、その後に容器右側部を形成するようにしたが、本実施形態はそれに限定されるものではなく、容器右側部を先に形成し、その後に容器左側部を形成するようにすることもできる。また、上記説明では、持帰フィンガーフード用容器の形状を保持するために糊等の接着剤を使用しないで形成したが、本実施形態は、もちろん糊等の接着剤を使用しても良い。この場合に使用する接着剤は、人体に無害で環境負荷を低減できる材質の接着剤を使用すれば良い。また、持帰フィンガーフード用容器の形状を保持する手段としては、糊等の接着剤だけでなく、例えばシール、針なしホッチキス（登録商標）などのペーパーファスナーなどによって固定する手段であっても良い。また、持帰フィンガーフード用容器を店舗などに保管する場合には、図４０の平面状の状態ですれば省スペース化できる。また、嵩張らないので配送コストも削減できる。なお、持帰フィンガーフード用容器は、フィンガーフード用に限定されず、パッケージ用紙コップやマチなしパッケージに代わるもの、企画セット商品などとして使用することもできる。
【００８０】
図４２は、持帰フィンガーフード用容器を容器前面部側から見た一例を示す略正面図である。図４２において、４２０１は左側面部を、４２０２は右側面部を示している。なお、図４２において、点線は、容器背面部の容器開口部が形成される曲線を示している。
図４３は、持帰フィンガーフード用容器を容器背面部側から見た一例を示す略背面図である。図４３において、４３０１は左側面部を、４３０２は右側面部を示している。なお、図４３において、点線は、容器開口部が形成される曲線を示している。
図４４は、持帰フィンガーフード用容器を容器左側部側から見た一例を示す左側面図である。図４４において、４４０１は左側面部を示している。
図４５は、持帰フィンガーフード用容器を容器右側部側から見た一例を示す右側面図である。図４５において、４５０１は右側面部を示している。
図４６は、持帰フィンガーフード用容器を容器上部側から見た一例を示す平面図である。図４６において、４６０１は左側面部を、４６０２は右側面部を示している。
図４７は、持帰フィンガーフード用容器を容器底部側から見た一例を示す底面図である。図４７において、４７０１は左側面部を、４７０２は右側面部を示している。
【００８１】
<処理の流れ>
以下に、本実施形態の処理の流れを説明する。
【００８２】
図４８は、処理の流れを説明するための図である。
まず、一端から他端にわたって直線状に形成された第一折線に沿って紙を折り重ねることにより容器底部、容器前面部、容器背面部と、を形成する（ステップＳ４８０１）。次に、第一折線に沿って折り重ねられた紙の両側部を第一折線を起点として形成される第二折線、第三折線に沿って容器前面部に向かって折り重ねることにより、容器左側部、容器右側部、容器前折部と、を形成する（ステップＳ４８０２）。次に、容器前折部の容器開口側に生じる端線に沿って、容器前折部に重なるように容器前面部の一部をなす紙を折り曲げることにより、前折押さえ部を形成する（ステップＳ４８０３）。次に、第二折線および第三折線に沿った紙の部分には、それぞれ第二折線及び第三折線を中心として対向するように側面用第二折線及び側面用第三折線を形成し、容器左側部及び容器右側部は、側面用第二折線及び、側面用第三折線に沿って紙を折り曲げることにより左側面部及び右側面部を形成する（ステップＳ４３０４）。
【００８３】
<実施形態３の効果の簡単な説明>
本実施形態の持帰フィンガーフード用容器によれば、左側面部及び右側面部を有するので、容器の形状が崩れにくいという特徴がある。このためスティック上のフライドポテトなどを容器から取り出しやすくなる。また、容器の形状が崩れにくくなることにより、多少置き易くなったり、手で持ちやすくなったりする。
【００８４】
<<実施形態４>>
以下に、実施形態４について説明する。
【００８５】
<実施形態４の概念>
以下に、本実施形態の持帰フィンガーフード用容器の概念を説明する。
本実施形態は、容器背面部は、容器開口よりも外側に位置する容器背面蓋部を有し、容器背面蓋部は、自身にフィンガーフードを入れた状態で容器前折部に達する高さを有する実施形態１から３のいずれか一に記載の持帰フィンガーフード用容器に関する。
【００８６】
図４９は、本実施形態の持帰フィンガーフード用容器４９００の概念を説明するための図である。持帰フィンガーフード用容器は、容器背面蓋部４９０１を有し、シンプルな構造で、組み立ても容易である。容器背面蓋部をシール等４９０３によって容器前折部に貼り付けることにより、フィンガーフードを保持し、蓋をした状態で、持ち帰ることができる。また、フィンガーフードを突き刺して食べるためのようじ等４９０４を容器左側部又は容器右側部上端の折り目の隙間に突き刺しておくことも可能である。
【００８７】
<構成要件の明示>
以下に、本実施形態の構成を明示する。
本実施形態の持帰フィンガーフード用容器の構成を明示する。持帰フィンガーフード用容器は、容器底部と、容器前面部と、容器背面部と、容器左側部と、容器右側部と、容器前折部、と、前押さえ部と、容器背面蓋部と、を有する。また、底面部、左側面部及び右側面部を有する構成とすることもできる。この場合の底面部、左側面部及び右側面部の形成方法については、実施形態２又は３と同様に考えることができるので、以下の説明においては、簡単のため、底面部、左側面部及び右側面部のない構成で説明をする。
【００８８】
<構成の説明>
以下に、本実施形態の構成を説明する。
【００８９】
（容器底部、容器前面部、容器背面部）
容器底部、容器前面部、容器背面部は、実施形態１と同様であるので説明を省略する。
【００９０】
（容器左側部、容器右側部、容器前折部）
容器左側部、容器右側部、容器前折部は、実施形態１と同様であるので説明を省略する。
【００９１】
（前折押さえ部）
前折押さえ部は、実施形態１と同様であるので説明を省略する。
【００９２】
（容器背面蓋部）
「容器背面蓋部」とは、容器背面部の容器開口よりも外側に位置し、自身にフィンガーフードを入れた状態で容器前折部に達する高さを有し、フィンガーフードを容器に入れた状態で容器に蓋をすることができる部分のことをいう。「自身にフィンガーフードを入れた状態」とは、少なくとも、容器開口部端線で作られる平面より下にのみ、フィンガーフードが存在する状態をいう。容器背面蓋部の容器前折部あるいは前折押さえ部への固定は、シール等であっても良いし、容器背面蓋部の先端を、容器前折部あるいは前折押さえ部の切れ込み（容器背面蓋部の先端を挿入するために、あらかじめ紙に入れた切れ込み）に挿入することによっても良い。なお、シール等に広告（文字、絵など）を印刷することにより、宣伝効果が得られる。
【００９３】
（持帰フィンガーフード用容器）
持帰フィンガーフード用容器は、実施形態１と同様の方法によって紙を折り曲げることにより、容易に形成される。
【００９４】
図５０は、実施形態１と同様の方法によって形成された持帰フィンガーフード用容器５０００の斜視図の一例である。持帰フィンガーフード用容器は、容器背面蓋部５００１を有している。図５０の状態で、フィンガーフードを挿入し、容器背面蓋部の先端を、容器前折部あるいは前折押さえ部に、シール等によって貼り付けることにより、図４９のような使用状態の持帰フィンガーフード用容器が得られる。
【００９５】
<処理の流れ>
以下に、本実施形態の処理の流れを説明する。
【００９６】
図５１は、処理の流れを説明するための図である。
まず、一端から他端にわたって直線状に形成された第一折線に沿って紙を折り重ねることにより容器底部、容器前面部、容器背面部と、を形成する（ステップＳ５１０１）。次に、第一折線に沿って折り重ねられた紙の両側部を第一折線を起点として形成される第二折線、第三折線に沿って容器前面部に向かって折り重ねることにより、容器左側部、容器右側部、容器前折部と、を形成する（ステップＳ５１０２）。次に、容器前折部の容器開口側に生じる端線に沿って、容器前折部に重なるように容器前面部の一部をなす紙を折り曲げることにより、前折押さえ部を形成する（ステップＳ５１０３）。次に、容器背面部の容器開口よりも外側に位置し、自身にフィンガーフードを入れた状態で容器前折部に達する高さを有する容器背面蓋部を前折押さえ部に係止する（ステップＳ５１０４）。
【００９７】
<実施形態４の効果の簡単な説明>
本実施形態の持帰フィンガーフード用容器によれば、容器背面蓋部を有するので、容器にフィンガーフードを入れた状態で蓋をすることにより、埃やゴミなどが混入するのを防止できるので衛生的である。また、フィンガーフードが容器からこぼれ落ちることを防止できる。特に、店で買ったフィンガーフードを持帰るのに最適である。
【００９８】
<<実施形態５>>
以下に、実施形態５について説明する。
【００９９】
<実施形態５の概念>
以下に、本実施形態の持帰フィンガーフード用容器の概念を説明する。
本実施形態は、容器背面部は、容器開口よりも外側に位置する容器スタンド部を有し、容器スタンド部は、自身にフィンガーフードを入れた状態で容器底部とともに容器を支え、自身を平面上に載置して自立させることが可能である実施形態１から４のいずれか一に記載の持帰フィンガーフード用容器に関する。
【０１００】
図５２は、本実施形態の持帰フィンガーフード用容器５２００の概念を説明するための図である。持帰フィンガーフード用容器は、容器スタンド部５２０１を有し、シンプルな構造で、組み立ても容易である。
【０１０１】
<構成要件の明示>
以下に、本実施形態の構成を明示する。
本実施形態の持帰フィンガーフード用容器の構成を明示する。持帰フィンガーフード用容器は、容器底部と、容器前面部と、容器背面部と、容器左側部と、容器右側部と、容器前折部、と、前押さえ部と、容器スタンド部と、を有する。また、底面部、左側面部及び右側面部を有する構成とすることもできる。この場合の底面部、左側面部及び右側面部の形成方法については、実施形態２又は３と同様に考えることができるので、以下の説明においては、簡単のため、底面部、左側面部及び右側面部のない構成で説明をする。
【０１０２】
<構成の説明>
以下に、本実施形態の構成を説明する。
【０１０３】
（容器底部、容器前面部、容器背面部）
容器底部、容器前面部、容器背面部は、実施形態１と同様であるので説明を省略する。
【０１０４】
（容器左側部、容器右側部、容器前折部）
容器左側部、容器右側部、容器前折部は、実施形態１と同様であるので説明を省略する。
【０１０５】
（前折押さえ部）
前折押さえ部は、実施形態１と同様であるので説明を省略する。
【０１０６】
（容器スタンド部）
容器背面部は、容器開口よりも外側に位置する容器スタンド部を有し、容器スタンド部は、自身にフィンガーフードを入れた状態で容器底部とともに容器を支え、自身を平面上に載置して自立させることが可能である
「容器スタンド部」とは、自身にフィンガーフードを入れた状態で容器底部とともに容器を支え、自身を平面上に載置して自立させることが可能である部分のことをいう。
【０１０７】
図５３は、実施形態１の方法により形成された持帰フィンガーフード用容器５３００の斜視図の一例である。持帰フィンガーフード用容器は、容器スタンド部５３０１を有している。図５３の状態で、容器スタンド部を、一点鎖線に沿って山側に折り曲げることにより、図５２のような持帰フィンガーフード用容器が得られる。なお、容器スタンド部は、スタンドとして使用しないときは、実施形態４で説明したように、容器の蓋として使用することができる。この場合には、容器スタンド部の先端を、容器スタンド部の容器前折部あるいは前折押さえ部に、シール等によって貼り付けることにより、図４９のような使用状態の持帰フィンガーフード用容器が得られる。
【０１０８】
（持帰フィンガーフード用容器）
以上説明したように、持帰フィンガーフード用容器は、実施形態１と同様の方法によって紙を折り曲げることにより、容易に形成される。
【０１０９】
図５４は、図５２と別の容器スタンド部の一例を示す斜視図である。図５４の持帰フィンガーフード用容器５４００は、容器スタンド部５４０１を有する。
【０１１０】
図５５は、実施形態１と同様の方法によって紙を折り曲げることにより形成された持帰フィンガーフード用容器５５００である。図５５の持帰フィンガーフード用容器は、容器左側部側と容器右側部側にそれぞれ図５５のような容器スタンド部５５０１を有する。図５５の状態で、容器スタンド部を、一点鎖線に沿って山側に折り曲げることにより、図５４のような持帰フィンガーフード用容器が得られる。この場合には、容器背面部の容器開口よりも外側に位置する部分を容器の蓋として使用することができる。
【０１１１】
<処理の流れ>
以下に、本実施形態の処理の流れを説明する。
【０１１２】
図５６は、処理の流れを説明するための図である。
まず、一端から他端にわたって直線状に形成された第一折線に沿って紙を折り重ねることにより容器底部、容器前面部、容器背面部と、を形成する（ステップＳ５６０１）。次に、第一折線に沿って折り重ねられた紙の両側部を第一折線を起点として形成される第二折線、第三折線に沿って容器前面部に向かって折り重ねることにより、容器左側部、容器右側部、容器前折部と、を形成する（ステップＳ５６０２）。次に、容器前折部の容器開口側に生じる端線に沿って、容器前折部に重なるように容器前面部の一部をなす紙を折り曲げることにより、前折押さえ部を形成する（ステップＳ５６０３）。次に、容器背面部の容器開口よりも外側に位置し、自身にフィンガーフードを入れた状態で容器底部とともに容器を支え、自身を平面上に載置して自立させることが可能である容器スタンド部を形成する（ステップＳ５６０４）。
【０１１３】
<実施形態５の効果の簡単な説明>
本実施形態の持帰フィンガーフード用容器によれば、容器スタンド部を有するので、シンプルな構造により、フィンガーフードの取り出し口がほぼ上方を向くように形成し、手に持つことなく平面上に載置して自立させることができるので、フィンガーフードが容器からこぼれ落ちにくくなる。特に、細かい粒状のものまた、店でフィンガーフードを買って持帰るときは、容器スタンド部を容器の蓋として使用し、フィンガーフードを食べるときは、容器スタンド部を容器のスタンドとして使用することもできる。本実施形態によれば、フィンガーフードの形状が粒状のものや、こぼれやすいものである場合に特に効果がある。例えば、容器を横に置くと、中身がこぼれてしまうようなものに効果がある。
【０１１４】
<<実施形態６>>
以下に、実施形態６について説明する。
【０１１５】
<実施形態６の概念>
以下に、本実施形態の持帰フィンガーフード用容器の概念を説明する。
本実施形態は、第一折線に沿って紙を折り重ねること、第一折線を起点として形成される第二折線、第三折線に沿って容器前面部に向かって折り重ねること、容器前折部の容器開口側に生じる端線に沿って、前折部に重なるように容器前面部の一部をなす紙を折り曲げることのみにより自身を形作り、自身の形を保持するために接着剤を利用しない実施形態１から５のいずれか一に記載の持帰フィンガーフード用容器に関する。自身の形を保持するために接着剤を利用しない以外は、実施形態１から５のいずれか一に記載の持帰フィンガーフード用容器と同様なので説明を省略する。ただし、本実施形態の持帰フィンガーフード用容器は接着剤を使用しないので、広く開いた状態、例えば、皿として使用することもできる。本実施形態では、接着剤を利用していないので紙を破ることなく開くことができる。また、紙の広げた状態での形状を工夫することにより、皿状の持帰フィンガーフード用容器を形成することもできる。たとえば、広げた紙の中央部分には印刷がされない状態としてフィンガーフードがインクなどで汚れないようにしたり、紙の周囲を折り曲げることにより広げた紙からフィンガーフードがこぼれないようにするなどである。つまり、本実施形態においては、広げた状態と、折り重ねた状態の二つの態様での利用が可能となるのである。これは、従来の接着剤を用いて構成した容器に見られない特徴である。
【０１１６】
<実施形態６の効果の簡単な説明>
本実施形態の持帰フィンガーフード用容器によれば、自身の形を保持するために接着剤を利用しないので、生産コストの削減が図れる。また、環境に優しく、食品衛生上安全である。
【０１１７】
<<実施形態７>>
以下に、実施形態７について説明する。
【０１１８】
<実施形態７の概念>
以下に、本実施形態の持帰フィンガーフード用容器の概念を説明する。
本実施形態は、実施形態１から６の持帰フィンガーフード用容器を形成するために利用される紙であって、第一折線が形成される一端側の形状と、他端側の形状とは、異なる形状である紙に関する。
【０１１９】
<構成要件の明示>
以下に、本実施形態の構成を明示する。
本実施形態の紙は、一端側の形状と、他端側の形状と、を有する。
【０１２０】
<構成の説明>
以下に、本実施形態の構成を説明する。
【０１２１】
（紙）
「紙」とは、持帰フィンガーフード用容器を形成するために利用される紙のことをいう。紙は、第一折線が形成される一端側の形状と、他端側の形状とは、異なる形状を有する。ここで「一端側の形状」とは、第一折線が形成される端部の第二折線側の形状のことをいう。「他端側の形状」とは、第一折線が形成される端部の第三折線側の形状のことをいう。
【０１２２】
図５７は、持帰フィンガーフード用容器を平面上に展開したときに容器内面側から見た紙の展開図の一例である。図５７において、５７０１は第一折線を、５７０２は一端側を、５７０３は他端側を示している。図５７に示すように、一端側の形状と他端側の形状は異なっている。その他の紙についての説明は、実施形態１から６の持帰フィンガーフード用容器を形成するために利用される紙と同様であるので説明を省略する。
【０１２３】
<実施形態７の効果の簡単な説明>
本実施形態の紙によれば、一端側の形状と、他端側の形状とは、異なる形状であるので、紙の方向、例えば、持帰フィンガーフード用容器を前面から見たときの左右を識別することが容易となる。このため、機械が紙を折り上げる際に、機械が自動的に正しい方向に紙をそろえることができる。また誤った方向に紙が配置されているのを検知することが容易となる。
【０１２４】
<<実施形態８>>
以下に、実施形態８について説明する。
【０１２５】
<実施形態８の概念>
以下に、本実施形態の持帰フィンガーフード用容器の概念を説明する。
本実施形態は、実施形態１から６の持帰フィンガーフード用容器を形成するために利用される紙であって、第一折線を中心として容器背面部を形成する部分の形状と、容器前面部を形成する部分の形状とは異なる形状である紙に関する。
【０１２６】
<構成要件の明示>
以下に、本実施形態の構成を明示する。
本実施形態の紙は、容器背面部を形成する部分の形状と、容器前面部を形成する部分の形状と、を有する。
【０１２７】
<構成の説明>
以下に、本実施形態の構成を説明する。
【０１２８】
（紙）
「紙」とは、持帰フィンガーフード用容器を形成するために利用される紙のことをいう。紙は、第一折線を中心として容器背面部を形成する部分の形状と、容器前面部を形成する部分の形状と、を有する。ここで「容器背面部を形成する部分の形状」とは、第一折線を中心として容器背面部を形成する部分の形状のことをいう。「容器前面部を形成する部分の形状」とは、容器前面部を形成する部分の形状のことをいう。
【０１２９】
図５８は、持帰フィンガーフード用容器を平面上に展開したときに容器内面側から見た紙の展開図の一例である。図５８において、５８０１は第一折線を、５８０２は容器背面部を形成する部分の形状を、５８０３は容器前面部を形成する部分の形状を示している。図５８に示すように、容器背面部を形成する部分の形状と容器前面部を形成する部分の形状は異なっている。また、図５８に示したように、実施形態７の一端側の形状と、他端側の形状とは、異なる形状であるように形成することも可能である。
【０１３０】
図５９は、図５８の状態の紙を折り曲げて持帰フィンガーフード用容器を形成したときの状態を容器前面部側から見た図の一例である。図９に相当する図であり、形状が異なることを特徴とする。その他の紙についての説明は、実施形態１から６の持帰フィンガーフード用容器を形成するために利用される紙と同様であるので説明を省略する。
【０１３１】
<実施形態８の効果の簡単な説明>
本実施形態の紙によれば、容器背面部を形成する部分の形状と、容器前面部を形成する部分の形状とは異なる形状であるので、容器背面蓋部や容器スタンド部の形状に最適な紙を製造することができる。また、機械が紙を折り上げる際に、機械が自動的に正しい方向に紙をそろえることができる。また誤った方向に紙が配置されているのを検知することが容易となる。
【０１３２】
<<実施形態９>>
以下に、実施形態９について説明する。
【０１３３】
<実施形態９の概念>
以下に、本実施形態の持帰フィンガーフード用容器の概念を説明する。
本実施形態は、実施形態１から６の持帰フィンガーフード用容器を形成するために利用される紙であって、容器背面部を形成する部分及び、容器前面部を形成する部分の容器内面側は、印刷が施されていない紙に関する。
【０１３４】
<紙の説明>
以下に、本実施形態の紙を説明する。
【０１３５】
（紙）
「紙」とは、持帰フィンガーフード用容器を形成するために利用される紙のことをいう。紙には、容器背面部を形成する部分及び、容器前面部を形成する部分の容器内面側は、印刷が施されていないことを特徴とする。その他の紙についての説明は、実施形態１から６の持帰フィンガーフード用容器を形成するために利用される紙と同様であるので説明を省略する。
【０１３６】
以下図６０から図６３に、容器背面部を形成する部分及び、容器前面部を形成する部分の容器内面側は、印刷が施されていない紙のデザインについて示す。
【０１３７】
図６０は、紙を、平面上に展開したときに容器内面側から見た展開図の一例を示す図である。図３に相当する図であり、デザインが異なることを特徴とする。なお、点線で示された部分は紙を折り曲げたときに折線の谷側になる部分を、一点鎖線で示された部分は山側になる部分を示す。以下の図も同様とする。
【０１３８】
図６１は、図６０の状態の紙を、容器外面側から見た展開図の一例である。図４に相当する図であり、デザインが異なることを特徴とする。
【０１３９】
図６２は、図６０の状態の紙を折り曲げて持帰フィンガーフード用容器を形成したときの状態を容器前面部側から見た図の一例である。図９に相当する図であり、デザインが異なることを特徴とする。
【０１４０】
図６３は、図６２の状態の紙を容器外面側から見た図の一例である。
【０１４１】
以下図６４から図６７に、容器背面部を形成する部分及び、容器前面部を形成する部分の容器内面側は、印刷が施されていない紙の別のデザインについて示す。
【０１４２】
図６４は、紙を、平面上に展開したときに容器内面側から見た展開図の一例を示す図である。図３に相当する図であり、デザインが異なることを特徴とする。なお、点線で示された部分は紙を折り曲げたときに折線の谷側になる部分を、一点鎖線で示された部分は山側になる部分を示す。以下の図も同様とする。
【０１４３】
図６５は、図６４の状態の紙を、容器外面側から見た展開図の一例である。図４に相当する図であり、デザインが異なることを特徴とする。
【０１４４】
図６６は、図６４の状態の紙を折り曲げて持帰フィンガーフード用容器を形成したときの状態を容器前面部側から見た図の一例である。図９に相当する図であり、デザインが異なることを特徴とする。
【０１４５】
図６７は、図６６の状態の紙を容器外面側から見た図の一例である。
【０１４６】
図６８に別のデザインの紙を示す。図６８は、紙を、容器外面側から見た展開図の一例である。
【０１４７】
<実施形態９の効果の簡単な説明>
本実施形態の紙によれば、容器背面部を形成する部分及び、容器前面部を形成する部分の容器内面側は、印刷が施されていないため、フィンガーフードが接触する容器内面側部分には印刷のインクが付着する恐れがない。また、容器外面側には印刷を施すことにより、宣伝効果が得られる。
【０１４８】
<<実施形態１０>>
以下に、実施形態１０について説明する。
【０１４９】
<実施形態１０の概念>
以下に、本実施形態の持帰フィンガーフード用容器の概念を説明する。
本実施形態は、実施形態１から６の持帰フィンガーフード用容器を形成するために利用される紙であって、容器背面部を形成する部分及び、容器前面部を形成する部分の容器内面側は、印刷が施されている紙に関する。
【０１５０】
<紙の説明>
以下に、本実施形態の紙を説明する。
【０１５１】
（紙）
「紙」とは、持帰フィンガーフード用容器を形成するために利用される紙のことをいう。紙には、容器背面部を形成する部分及び、容器前面部を形成する部分の容器内面側は、印刷が施されていることを特徴とする。紙の容器内面側に印刷をし、その表面を、フィンガーフードの有する油分や水分で変質したり、溶けたり、化学反応をおこして有害になったりしないようなビニール等をコーティングすることにより、衛生的な紙を作ることができる。また、印刷インクに人体に害のない植物性のインクを使用することもできる。その他の紙についての説明は、実施形態１から６の持帰フィンガーフード用容器を形成するために利用される紙と同様であるので説明を省略する。
【０１５２】
<実施形態１０の効果の簡単な説明>
本実施形態の紙によれば、容器背面部を形成する部分及び、容器前面部を形成する部分の容器内面側は、印刷が施されているため、容器内面側に宣伝効果を持たせることが可能となる。また、商品をおいしく見せる、よりよく見せるなど、商品価値を高める効果がある。また、印刷の色は、必ずしも模様を形成している必要はなく、無地のものであってよい。
【産業上の利用可能性】
【０１５３】
本件発明は、健康面への配慮ならびに環境負荷の低減が必要とされる持帰フィンガーフード用容器として利用可能である。
【図面の簡単な説明】
【０１５４】
【図１】実施形態１の持帰フィンガーフード用容器の概念図
【図２】実施形態１の持帰フィンガーフード用容器の斜視図
【図３】実施形態１の持帰フィンガーフード用容器の展開図（容器内面側）
【図４】実施形態１の持帰フィンガーフード用容器の展開図（容器外面側）
【図５】実施形態１の持帰フィンガーフード用容器の説明図（その１）
【図６】実施形態１の持帰フィンガーフード用容器の説明図（その２）
【図７】実施形態１の持帰フィンガーフード用容器の説明図（その３）
【図８】実施形態１の持帰フィンガーフード用容器の説明図（その４）
【図９】実施形態１の持帰フィンガーフード用容器の説明図（その５）
【図１０】実施形態１の持帰フィンガーフード用容器の略正面図
【図１１】実施形態１の持帰フィンガーフード用容器の略背面図
【図１２】実施形態１の持帰フィンガーフード用容器の左側面図
【図１３】実施形態１の持帰フィンガーフード用容器の右側面図
【図１４】実施形態１の持帰フィンガーフード用容器の平面図
【図１５】実施形態１の持帰フィンガーフード用容器の底面図
【図１６】実施形態１の処理の流れ図
【図１７】実施形態２の持帰フィンガーフード用容器の斜視図
【図１８】実施形態２の持帰フィンガーフード用容器の展開図（容器内面側）
【図１９】実施形態２の持帰フィンガーフード用容器の展開図（容器外面側）
【図２０】実施形態２の持帰フィンガーフード用容器の説明図（その１）
【図２１】実施形態２の持帰フィンガーフード用容器の説明図（その２）
【図２２】実施形態２の持帰フィンガーフード用容器の説明図（その３）
【図２３】実施形態２の持帰フィンガーフード用容器の説明図（その４）
【図２４】実施形態２の持帰フィンガーフード用容器の説明図（その５）
【図２５】実施形態２の持帰フィンガーフード用容器の説明図（その６）
【図２６】実施形態２の持帰フィンガーフード用容器の略正面図
【図２７】実施形態２の持帰フィンガーフード用容器の略背面図
【図２８】実施形態２の持帰フィンガーフード用容器の左側面図
【図２９】実施形態２の持帰フィンガーフード用容器の右側面図
【図３０】実施形態２の持帰フィンガーフード用容器の平面図
【図３１】実施形態２の持帰フィンガーフード用容器の底面図
【図３２】実施形態２の処理の流れ図
【図３３】実施形態３の持帰フィンガーフード用容器の斜視図
【図３４】実施形態３の持帰フィンガーフード用容器の展開図（容器内面側）
【図３５】実施形態３の持帰フィンガーフード用容器の展開図（容器外面側）
【図３６】実施形態３の持帰フィンガーフード用容器の説明図（その１）
【図３７】実施形態３の持帰フィンガーフード用容器の説明図（その２）
【図３８】実施形態３の持帰フィンガーフード用容器の説明図（その３）
【図３９】実施形態３の持帰フィンガーフード用容器の説明図（その４）
【図４０】実施形態３の持帰フィンガーフード用容器の説明図（その５）
【図４１】実施形態３の持帰フィンガーフード用容器の説明図（その６）
【図４２】実施形態３の持帰フィンガーフード用容器の略正面図
【図４３】実施形態３の持帰フィンガーフード用容器の略背面図
【図４４】実施形態３の持帰フィンガーフード用容器の左側面図
【図４５】実施形態３の持帰フィンガーフード用容器の右側面図
【図４６】実施形態３の持帰フィンガーフード用容器の平面図
【図４７】実施形態３の持帰フィンガーフード用容器の底面図
【図４８】実施形態３の処理の流れ図
【図４９】実施形態４の持帰フィンガーフード用容器の概念図
【図５０】実施形態４の持帰フィンガーフード用容器の斜視図
【図５１】実施形態４の処理の流れ図
【図５２】実施形態５の持帰フィンガーフード用容器の概念図（その１）
【図５３】実施形態５の持帰フィンガーフード用容器の斜視図（その１）
【図５４】実施形態５の持帰フィンガーフード用容器の概念図（その２）
【図５５】実施形態５の持帰フィンガーフード用容器の斜視図（その２）
【図５６】実施形態５の処理の流れ図
【図５７】実施形態７の紙の展開図（容器内面側）
【図５８】実施形態８の紙の展開図（容器内面側）
【図５９】実施形態８の紙によって形成された持帰フィンガーフード用容器を示す図（容器前面側）
【図６０】実施形態９の紙（その１）の展開図（容器内面側）
【図６１】実施形態９の紙（その１）の展開図（容器外面側）
【図６２】実施形態９の紙（その１）によって形成された持帰フィンガーフード用容器を示す図（容器前面側）
【図６３】実施形態９の紙（その１）によって形成された持帰フィンガーフード用容器を示す図（容器背面側）
【図６４】実施形態９の紙（その２）の展開図（容器内面側）
【図６５】実施形態９の紙（その２）の展開図（容器外面側）
【図６６】実施形態９の紙（その２）によって形成された持帰フィンガーフード用容器を示す図（容器前面側）
【図６７】実施形態９の紙（その２）によって形成された持帰フィンガーフード用容器を示す図（容器背面側）
【図６８】実施形態９の紙（その３）の展開図（容器外面側）
【符号の説明】
【０１５５】
０１００  持帰フィンガーフード用容器
０１０１  フィンガーフード
【図１】
2005212859.tif 000003
【図２】
2005212859.tif 000004
【図３】
2005212859.tif 000005
【図４】
2005212859.tif 000006
【図５】
2005212859.tif 000007
【図６】
2005212859.tif 000008
【図７】
2005212859.tif 000009
【図８】
2005212859.tif 000010
【図９】
2005212859.tif 000011
【図１０】
2005212859.tif 000012
【図１１】
2005212859.tif 000013
【図１２】
2005212859.tif 000014
【図１３】
2005212859.tif 000015
【図１４】
2005212859.tif 000016
【図１５】
2005212859.tif 000017
【図１６】
2005212859.tif 000018
【図１７】
2005212859.tif 000019
【図１８】
2005212859.tif 000020
【図１９】
2005212859.tif 000021
【図２０】
2005212859.tif 000022
【図２１】
2005212859.tif 000023
【図２２】
2005212859.tif 000024
【図２３】
2005212859.tif 000025
【図２４】
2005212859.tif 000026
【図２５】
2005212859.tif 000027
【図２６】
2005212859.tif 000028
【図２７】
2005212859.tif 000029
【図２８】
2005212859.tif 000030
【図２９】
2005212859.tif 000031
【図３０】
2005212859.tif 000032
【図３１】
2005212859.tif 000033
【図３２】
2005212859.tif 000034
【図３３】
2005212859.tif 000035
【図３４】
2005212859.tif 000036
【図３５】
2005212859.tif 000037
【図３６】
2005212859.tif 000038
【図３７】
2005212859.tif 000039
【図３８】
2005212859.tif 000040
【図３９】
2005212859.tif 000041
【図４０】
2005212859.tif 000042
【図４１】
2005212859.tif 000043
【図４２】
2005212859.tif 000044
【図４３】
2005212859.tif 000045
【図４４】
2005212859.tif 000046
【図４５】
2005212859.tif 000047
【図４６】
2005212859.tif 000048
【図４７】
2005212859.tif 000049
【図４８】
2005212859.tif 000050
【図４９】
2005212859.tif 000051
【図５０】
2005212859.tif 000052
【図５１】
2005212859.tif 000053
【図５２】
2005212859.tif 000054
【図５３】
2005212859.tif 000055
【図５４】
2005212859.tif 000056
【図５５】
2005212859.tif 000057
【図５６】
2005212859.tif 000058
【図５７】
2005212859.tif 000059
【図５８】
2005212859.tif 000060
【図５９】
2005212859.tif 000061
【図６０】
2005212859.tif 000062
【図６１】
2005212859.tif 000063
【図６２】
2005212859.tif 000064
【図６３】
2005212859.tif 000065
【図６４】
2005212859.tif 000066
【図６５】
2005212859.tif 000067
【図６６】
2005212859.tif 000068
【図６７】
2005212859.tif 000069
【図６８】
2005212859.tif 000070